(57)【特許請求の範囲】
【請求項１】
建造物の天井スラブの下方に天井パネル体を吊り下げ支持する吊り下げ構造体を構成する耐風圧型防振天井吊り体であって、
金属材からなる枠状体と、この枠状体の両側面に添設した金属材からなる一対の補助強化片とからなり、上部が天井スラブから垂下した上部吊りボルトに連結される吊り基体と、
前記吊り基体により支持されるゴム材からなる防振体と、
前記防振体を、前記吊り基体の下部中央に一体的に、かつ、垂直配置に取り付けるとともに、下部が下部吊りボルトを介して天井パネルに連結される防振体取り付け支持機構部と、
前記枠状体と一方の補助強化片、前記枠状体と他方の補助強化片を各々一体的に固着する複数の固着具と、
を有し、
複数の固着具による前記枠状体と一対の補助強化片との一体的な固着により、吊り基体の圧縮強度、引張強度を強化するとともに、前記防振体取り付け支持機構部により吊り基体に一体的に支持した防振体により、吊り基体の圧縮側、引張側に作用する振動の防振を行うようにしたこと、
を特徴とする耐風圧型防振天井吊り体。
【請求項２】
建造物の天井スラブの下方に天井パネル体を吊り下げ支持する吊り下げ構造体を構成する耐風圧型防振天井吊り体であって、
金属材からなり、四角形状で平坦な上片と、この上片の短辺両隅から下方に屈曲形成した一対の垂直片と、一対の垂直片の各下端から前記上片と平行配置に、かつ、各々内方に向けて屈曲形成して対向させた一対の内向き突片と、前記一対の垂直片の両側垂直縁部から外方に向けて各々突設した片側２個ずつ両側で４個の外向き突片とを、一体に有する枠状体と、金属材からなり、前記枠状体における一対の外向き突片の両突出端間の距離にほぼ等しい幅を有する長方形状の添設片と、この添設片の下端から９０度屈曲させて形成されるとともに、突出端に挟み込み凹部を設けた下片とを一体に有し、一対構成として、一対の下片を一対の垂直片の間から一対の内向き突片上に対向させる状態で添設する状態で一対添設片を前記枠状体の両側面に添設した２個の補助強化片と、からなり、上片が天井スラブから垂下した上部吊りボルトにナットを用いて連結される吊り基体と、
天然ゴム材からなりほぼ円筒状で、挿通孔を貫通状態に設け、上下端面の近傍位置の外周部には各々括れ凹部を設け、上端側に上部円板部を、下端側に下部円板部を形成し、前記吊り基体により支持される防振体と、
前記一対の補助強化片における各下片に設けた挟み込み凹部を、防振体の下側の括れ凹部に嵌合することによって前記吊り基体内に支持された前記防振体の挿通孔に対して、上部円板部上に上部座金を添設しつつ挿通し、前記吊り基体の下方に突出させる取り付けボルトと、前記吊り基体の下方に突出する取り付けボルトの突出端側に前記下部円板部に添設するように嵌装する下部座金と、下部座金の下側に突出する取り付けボルトの突出端側のネジ部に、ネジ孔の途中位置まで螺合し、締め付けることで、前記防振体を前記吊り基体に対して一体的に固着するとともに、下側から下部吊りボルトが螺着される連結ナットと、を有する防振体取り付け支持機構部と、
前記枠状体における片側２個ずつ両側で４個の外向き突片と、一対の補助強化片における添設片とを各々２箇所ずつで固着し、前記枠状体における一対の内向き突片と、前記一対の補助強化片における一対の下片とを各々２箇所ずつで固着する複数の固着具と、
を有し、
複数の固着具による前記枠状体と一対の補助強化片とにおける前記外向き突片と前記添設片の固着、及び、前記内向き突片と前記下片との固着により、吊り基体の圧縮強度、引張強度を強化するとともに、前記防振体取り付け支持機構部により吊り基体に一体的に支持した防振体により、吊り基体の圧縮側、引張側に作用する振動の防振を行うようにしたこと、
を特徴とする耐風圧型防振天井吊り体。
【請求項３】
建造物の天井スラブの下方に天井パネル体を吊り下げ支持する吊り下げ構造体を構成する耐風圧型防振天井吊り体であって、
金属材からなり、四角形状で平坦な上片と、この上片の短辺両隅から下方に屈曲形成した一対の垂直片と、一対の垂直片の各下端から前記上片と平行配置に、かつ、各々内方に向けて屈曲形成して対向させた一対の内向き突片と、前記一対の垂直片の両側垂直縁部から外方に向けて各々突設した片側２個ずつ両側で４個の外向き突片とを、一体に有する枠状体と、金属材からなり、前記枠状体における一対の外向き突片の両突出端間の距離にほぼ等しい幅を有する長方形状の添設片と、この添設片の下端から９０度屈曲させて形成されるとともに、突出端に挟み込み凹部を設けた下片とを一体に有し、一対構成として、一対の下片を一対の垂直片の間から一対の内向き突片上に対向させる状態で添設する状態で一対添設片を前記枠状体の両側面に添設した２個の補助強化片と、からなり、上片が天井スラブから垂下した上部吊りボルトにナットを用いて連結される吊り基体と、
前記枠状体の上片と、この上片の短辺両隅から下方に屈曲形成した一対の垂直片との各境界を画する領域の中央部分に設けた各々前記吊り基体の外面側がＶ状に窪み、内面側が内方に向けて膨出する形態の一対の局所的塑性変形部と、
天然ゴム材からなりほぼ円筒状で、挿通孔を貫通状態に設け、上下端面の近傍位置の外周部には各々括れ凹部を設け、上端側に上部円板部を、下端側に下部円板部を形成し、前記吊り基体により支持される防振体と、
前記一対の補助強化片における各下片に設けた挟み込み凹部を、防振体の下側の括れ凹部に嵌合することによって前記吊り基体内に支持された前記防振体の挿通孔に対して、上部円板部上に上部座金を添設しつつ挿通し、前記吊り基体の下方に突出させる取り付けボルトと、前記吊り基体の下方に突出する取り付けボルトの突出端側に前記下部円板部に添設するように嵌装する下部座金と、下部座金の下側に突出する取り付けボルトの突出端側のネジ部に、ネジ孔の途中位置まで螺合し、締め付けることで、前記防振体を前記吊り基体に対して一体的に固着するとともに、下側から下部吊りボルトが螺着される連結ナットと、を有する防振体取り付け支持機構部と、
前記枠状体における片側２個ずつ両側で４個の外向き突片と、一対の補助強化片における添設片とを各々２箇所ずつで固着し、前記枠状体における一対の内向き突片と、前記一対の補助強化片における一対の下片とを各々２箇所ずつで固着する複数の固着具と、
を有し、
複数の固着具による前記枠状体と一対の補助強化片とにおける前記外向き突片と前記添設片の固着、及び、前記内向き突片と前記下片との固着、並びに、前記一対の局所的塑性変形部により、吊り基体の圧縮強度、引張強度を強化するとともに、前記防振体取り付け支持機構部により吊り基体に一体的に支持した防振体により、吊り基体の圧縮側、引張側に作用する振動の防振を行うようにしたこと、
を特徴とする耐風圧型防振天井吊り体。
【発明の詳細な説明】
【技術分野】
【０００１】
本発明は、耐風圧型防振天井吊り体に関し、詳しくは、例えば高速列車が走行する駅舎等において天井スラブと天井パネル体との間の吊り構造の一部に配置し、列車通過時の大きな風圧による天井パネル体の吹き上がり防止するとともに防振機能も有する耐風圧型防振天井吊り体に関するものである。
【背景技術】
【０００２】
例えば、高速列車が走行する駅舎において、駅舎の構造として、ホームの上方に天井スラブから天井パネル体を吊り下げた構造を採用している場合、ホームが面するレール上を高速列車が走行すると、高速列車の走行に伴う衝撃風が天井パネル体に当たり、また、屋外に面したホームおよび通路で、台風等による強風が作用することにより、大きな風圧が天井パネル体に作用する。
【０００３】
このとき、天井パネル体の吊り下げ構造における耐風圧強度が十分でないと、天井パネル体自体が風圧により吹き上がり、その後、重力により落下して部分的に又はかなり広範囲にわたって破損し下方に落下して、ホーム上にいる乗客に怪我をさせてしまう等の不都合な事態が発生する。
【０００４】
また、この種の天井パネル体の吊り下げ構造においては、上述したような風圧に対する対策の他、地震によりかかる力に耐えられることが必要とされているところである。
【０００５】
本願出願人は、先に特許文献１に示すように、２個の各フレームと、ゴム材からなる防振体との組み合わせからなり、２個の各フレームは、垂直片と上片、下片とを有し、２個の各フレームの上片、下片のいずれか一方の片の中央には小孔を穿孔し、他方の片の中央には円形孔を穿孔し、且つ、円形孔から当該片の端部に連続した切り込み孔部を有しているとともに、各フレームの各上片、下片には、カシメ止め用等の各小穴を設けて構成し、防振体は、その中心に、挿通孔を有し、上下端部の近傍には各括れ部を形成しているとともに、防振体の上端には鋼材等からなりワッシャー作用を果たす座金を一体的に接合配置し且つ防振体の下端には肉薄部を備える構成として、天井パネル体の吊り下げ構造の一部として組み込むようにした圧縮型防振吊り体を提案し、登録を受けている。
【０００６】
この圧縮型防振吊り体によれば、例えば地震等による振動で天井スラブ側が振動するとき、前記防振体による防振作用で天井パネル体の揺れを低減し、これにより、天井パネル体の破損を防止することができる。
【先行技術文献】
【特許文献】
【０００７】
【特許文献１】登録実用新案第３０２０９２８号公報
【発明の概要】
【発明が解決しようとする課題】
【０００８】
本発明が解決しようとする問題点は、天井パネル体の吊り下げ構造の一部に組み込むことよって、例えば高速列車の走行に伴う衝撃風のような強い風に対する耐風圧強度及び地震によりかかる力に対する耐力を十分に確保でき、振動の防振を行うこともできるとともに、特許文献１に開示した圧縮型防振吊り体のような防振機能をも併せて備えるような耐風圧型防振天井吊り体が存在しない点である。
【課題を解決するための手段】
【０００９】
本発明の耐風圧型防振天井吊り体は、建造物の天井スラブの下方に天井パネル体を吊り下げ支持する吊り下げ構造体を構成する耐風圧型防振天井吊り体であって、金属材からなる枠状体と、この枠状体の両側面に添設した金属材からなる一対の補助強化片とからなり、上部が天井パネル体から垂下した上部吊りボルトに連結される吊り基体と、前記吊り基体により支持される防振体と、前記防振体を、前記吊り基体の下部中央に一体的に、かつ、垂直配置に取り付けるとともに、下部が下部吊りボルトを介して天井パネル体に連結される防振体取り付け支持機構部と、前記枠状体と一方の補助強化片、前記枠状体と他方の補助強化片を各々一体的に固着する複数の固着具と、を有し、複数の固着具による前記枠状体と一対の補助強化片との一体的な固着により、吊り基体の圧縮強度、引張強度を強化するとともに、前記防振体取り付け支持機構部により吊り基体に一体的に支持した防振体により、吊り基体の圧縮側、引張側に作用する振動の防振を行うようにしたことを最も主要な特徴とする。
【発明の効果】
【００１０】
請求項１記載の発明によれば、金属材からなる枠状体と、この枠状体の両側面に添設した金属材からなる一対の補助強化片とからなり、上部が天井パネル体から垂下した上部吊りボルトに連結される吊り基体と、前記吊り基体により支持されるゴム材からなる防振体と、前記防振体を、前記吊り基体の下部中央に一体的に、かつ、垂直配置に取り付けるとともに、下部が下部吊りボルトを介して天井パネル体に連結される防振体取り付け支持機構部と、前記枠状体と一方の補助強化片、前記枠状体と他方の補助強化片を各々一体的に固着する複数の固着具と、を有し、複数の固着具による前記枠状体と一対の補助強化片との一体的な固着により、吊り基体の圧縮強度、引張強度を強化するとともに、前記防振体取り付け支持機構部により吊り基体に一体的に支持した防振体をもって、吊り基体の圧縮側、引張側に作用する振動防振を行うように構成しているので、前記吊り基体の圧縮強度、引張強度を強化することができ、特に高速列車の走行に伴う衝撃風のような強い風に対する前記吊り基体の圧縮方向の耐風圧強度及び地震による力に耐えられる強度を十分に確保でき、建造物の天井スラブの下方に吊り下げた天井パネル体の吹き上がりを確実に防止でき、更に、前記防振体取り付け支持機構部により吊り基体に一体的に支持した防振体により、吊り基体の圧縮側、引張側に作用する振動の防振を行うこともできる耐風圧型防振天井吊り体を実現し提供することができる。
【００１１】
請求項２記載の発明によれば、金属材からなり、四角形状で平坦な上片と、この上片の短辺両隅から下方に屈曲形成した一対の垂直片と、一対の垂直片の各下端から前記上片と平行配置に、かつ、各々内方に向けて屈曲形成して対向させた一対の内向き突片と、前記一対の垂直片の両側垂直縁部から外方に向けて各々突設した片側２個ずつ両側で４個の外向き突片とを、一体に有する枠状体と、金属材からなり、前記枠状体における一対の外向き突片の両突出端間の距離にほぼ等しい幅を有する長方形状の添設片と、この添設片の下端から９０度屈曲させて形成されるとともに、突出端に挟み込み凹部を設けた下片とを一体に有し、一対構成として、一対の下片を一対の垂直片の間から一対の内向き突片上に対向させる状態で添設する状態で一対添設片を前記枠状体の両側面に添設した２個の補助強化片と、からなり、上片が天井パネル体から垂下した上部吊りボルトにナットを用いて連結される吊り基体と、天然ゴム材からなりほぼ円筒状で、挿通孔を貫通状態に設け、上下端面の近傍位置の外周部には各々括れ凹部を設け、上端側に上部円板部を、下端側に下部円板部を形成し、前記吊り基体により支持される防振体と、前記一対の補助強化片における各下片に設けた挟み込み凹部を、防振体の下側の括れ凹部に嵌合することによって前記吊り基体内に支持された前記防振体の挿通孔に対して、上部円板部上に上部座金を添設しつつ挿通し、前記吊り基体の下方に突出させる取り付けボルトと、前記吊り基体の下方に突出する取り付けボルトの突出端側に前記下部円板部に添設するように嵌装する下部座金と、下部座金の下側に突出する取り付けボルトの突出端側のネジ部に、ネジ孔の途中位置まで螺合し、締め付けることで、前記防振体を前記吊り基体に対して一体的に固着するとともに、下側から下部吊りボルトが螺着される連結ナットと、を有する防振体取り付け支持機構部と、前記枠状体における片側２個ずつ両側で４個の外向き突片と、一対の補助強化片における添設片とを各々２箇所ずつで固着し、前記枠状体における一対の内向き突片と、前記一対の補助強化片における一対の下片とを各々２箇所ずつで固着する複数の固着具と、を有し、複数の固着具による前記枠状体と一対の補助強化片とにおける前記外向き突片と前記添設片の固着、及び、前記内向き突片と前記下片との固着により、吊り基体の圧縮強度、引張強度を強化するとともに、前記防振体取り付け支持機構部により吊り基体に一体的に支持した防振体により、吊り基体の圧縮側、引張側に作用する振動の防振を行う構成の基に、前記吊り基体の圧縮強度、引張強度を強化することができ、特に高速列車の走行に伴う衝撃風のような強い風に対する前記吊り基体の圧縮方向の耐風圧強度及び地震による力に耐えられる強度を十分に確保でき、建造物の天井スラブの下方に吊り下げた天井パネル体の吹き上がりを確実に防止でき、更に、前記防振体取り付け支持機構部により吊り基体に一体的に支持した防振体により、吊り基体の圧縮側、引張側に作用する振動の防振を行うこともできる耐風圧型防振天井吊り体を実現し提供することができる。
【００１２】
請求項３記載の発明によれば、請求項２記載の発明の効果を奏することに加え、前記枠状体の上片と、この上片の短辺両隅から下方に屈曲形成した一対の垂直片との各境界を画する領域の中央部分に、各々前記吊り基体の外面側がＶ状に窪み、内面側が内方に向けて膨出する形態の一対の局所的塑性変形部を設けているので、前記枠状体の圧縮強度、引張強度を更に強化することができ、特に高速列車の走行に伴う衝撃風のような強い風に対する前記吊り基体の圧縮方向の耐風圧強度をより十分に確保でき、建造物の天井スラブの下方に吊り下げた天井パネル体の吹き上がりをより確実に防止できる耐風圧型防振天井吊り体を実現し提供することができる。
【図面の簡単な説明】
【００１３】
【図１】図１は本発明の実施例にかかる耐風圧型防振天井吊り体を使用した二重天井体の吊り下げ構造を示す概略図である。
【図２】図２は本実施例にかかる耐風圧型防振天井吊り体を示す概略斜視図である。
【図３】図３は本実施例にかかる耐風圧型防振天井吊り体の部分切欠正面図である。
【図４】図４は本実施例にかかる耐風圧型防振天井吊り体の部分切欠側面図である。
【図５】図５は本実施例にかかる耐風圧型防振天井吊り体における連結ナット、下部座金、取り付けボルトを除去した状態の底面図である。
【図６】図６は本実施例にかかる耐風圧型防振天井吊り体における防振体のみを示す正面図である。
【発明を実施するための形態】
【００１４】
本発明は、天井パネル体の吊り下げ構造の一部に組み込むことよって、例えば高速列車の走行に伴う衝撃風のような強い風に対する耐風圧強度を十分に確保でき、かつ、地震等による振動に対する防振機能をも併せて備える耐風圧型防振天井吊り体を実現し提供するという目的を、建造物の天井スラブの下方に天井パネル体を吊り下げ支持する吊り下げ構造体を構成する耐風圧型防振天井吊り体であって、金属材からなり、四角形状で平坦な上片と、この上片の短辺両隅から下方に屈曲形成した一対の垂直片と、一対の垂直片の各下端から前記上片と平行配置に、かつ、各々内方に向けて屈曲形成して対向させた一対の内向き突片と、前記一対の垂直片の両側垂直縁部から外方に向けて各々突設した片側２個ずつ両側で４個の外向き突片とを、一体に有する枠状体と、金属材からなり、前記枠状体における一対の外向き突片の両突出端間の距離にほぼ等しい幅を有する長方形状の添設片と、この添設片の下端から９０度屈曲させて形成されるとともに、突出端に挟み込み凹部を設けた下片とを一体に有し、一対構成として、一対の下片を一対の垂直片の間から一対の内向き突片上に対向させる状態で添設する状態で一対添設片を前記枠状体の両側面に添設した２個の補助強化片と、からなり、上片が天井パネル体から垂下した上部吊りボルトにナットを用いて連結される吊り基体と、天然ゴム材からなりほぼ円筒状で、挿通孔を貫通状態に設け、上下端面の近傍位置の外周部には各々括れ凹部を設け、上端側に上部円板部を、下端側に下部円板部を形成し、前記吊り基体により支持される防振体と、前記一対の補助強化片における各下片に設けた挟み込み凹部を、防振体の下側の括れ凹部に嵌合することによって前記吊り基体内に支持された前記防振体の挿通孔に対して、上部円板部上に上部座金を添設しつつ挿通し、前記吊り基体の下方に突出させる取り付けボルトと、前記吊り基体の下方に突出する取り付けボルトの突出端側に前記下部円板部に添設するように嵌装する下部座金と、下部座金の下側に突出する取り付けボルトの突出端側のネジ部に、ネジ孔の途中位置まで螺合し、締め付けることで、前記防振体を前記吊り基体に対して一体的に固着するとともに、下側から下部吊りボルトが螺着される連結ナットと、を有する防振体取り付け支持機構部と、前記枠状体における片側２個ずつ両側で４個の外向き突片と、一対の補助強化片における添設片とを各々２箇所ずつで固着し、前記枠状体における一対の内向き突片と、前記一対の補助強化片における一対の下片とを各々２箇所ずつで固着する複数の固着具と、を有し、複数の固着具による前記枠状体と一対の補助強化片とにおける前記外向き突片と前記添設片の固着、及び、前記内向き突片と前記下片との固着により、吊り基体の圧縮強度、引張強度を強化するとともに、前記防振体取り付け支持機構部により吊り基体に一体的に支持した防振体により、吊り基体の圧縮側、引張側に作用する振動の防振を行う構成により実現した。
【実施例】
【００１５】
以下、本発明の実施例に係る耐風圧型防振天井吊り体について図面を参照して詳細に説明する。
【００１６】
本実施例１に係る耐風圧型防振天井吊り体１は、図１、図２乃至図４に示すように、全体形状がほぼ四角形状を呈するステンレス材のように金属材からなる枠状体２と、この枠状体２の両側面に一体的に添設したＬ状を呈するステンレス材のように金属材からなる一対の補助強化片２１、２１と、からなる吊り基体１１と、例えば天然ゴム材（ＮＰ）からなるほぼ円筒状の防振体３１と、この防振体３１を、前記吊り基体１１が形成する内部空間の下部中央に一体的に、かつ、垂直配置に取り付けるとともに、下側から下部吊りボルト６１を螺着して連結する防振体取り付け支持機構部４１と、を有している。
【００１７】
前記枠状体２は、四角形状で平坦な上片３と、この上片３の短辺両隅から下方に屈曲形成した一対の垂直片４、４と、一対の垂直片４、４の各下端から前記上片３と平行配置に、かつ、各々内方に向けて屈曲形成して対向させた一対の内向き突片６、６と、前記一対の垂直片４、４の両側垂直縁部から外方に向けて各々突設した片側２個ずつ両側で４個の外向き突片５とを、一体に有している。
【００１８】
前記上片３の中央部には、上部吊りボルト５１を挿通させる孔部７を設けている。
【００１９】
また、前記上片３とその両側の垂直片４、４との各境界を画する領域における中央部分には、各々前記吊り基体１１の外面側がＶ状に窪み、内面側が内方に向けて膨出する形態の局所的塑性変形部８、８を設け、前記枠状体２に対して圧縮力、引張力が作用する際における前記枠状体２自体の上部、すなわち、上片３、垂直片４の境界を画する領域の変形を防止するように構成し、これにより、特に前記枠状体２の上部の圧縮強度、引張強度を高めている。
【００２０】
枠状体２における一対の内向き突片６、６の各突出端側には、図５に示すように、前記防振体３１における下部円板部３６の外周を囲むように、円弧状凹部６ａ、６ａを設けている。
【００２１】
前記補助強化片２１は、前記枠状体２における一対の外向き突片５、５の両突出端間の距離にほぼ等しい幅を有する長方形状の添設片２２と、この添設片２２の下端から９０度屈曲させて形成した下片２３とを一体に有し、この補助強化片２１を２個用いて、一対の下片２３を対向させる状態で前記枠状体２の両側面に一体的に添設するようになっている。
【００２２】
すなわち、前記各補助強化片２１における各下片２３の幅は、前記一対の垂直片４、４間の寸法よりも小幅で、一対の補助強化片２１、２１の各下片２３を各々一対の垂直片４、４の間から前記一対の内向き突片６、６上に載置するようにして装着し、また、一対の添設片２２、２２を前記枠状体２の側面に各々当接させて添設するように構成している。
【００２３】
前記一対の補助強化片２１、２１の前記枠状体２の両側面に対する添設態様は対称配置となっている。
【００２４】
前記一対の補助強化片２１、２１における各下片２３、２３の突出端中央には、図５に示すように、各々ほぼ半円状の挟み込み凹部２４、２４が形成され、この挟み込み凹部２４、２４を前記防振体３１における下側の括れ凹部３４に嵌合するようにして、これら一対の補助強化片２１、２１により前記防振体３１を垂直配置に支持するように構成している。
【００２５】
前記防振体３１は、図６に示すように、その長さ方向中心部に、防振体取り付け支持機構部４１を構成する取り付けボルト４２を挿通する挿通孔３２を貫通状態に設けているとともに、上下端面の近傍位置の外周部には各々括れ凹部３３、３４を設け、上端側に上部円板部３５を、下端側に下部円板部３６を形成した構成としている。
【００２６】
更に、前記防振体３１の上端面には、図６に示すように、挿通孔３２と同径の孔を有する埋め込み座金３７を埋設している。
【００２７】
前記防振体取り付け支持機構部４１は、図２乃至図４に示すように、前記一対の補助強化片２１における各下片２３に設けた挟み込み凹部２４、２４を、防振体３１の下側の括れ凹部３４に嵌合することによって前記吊り基体１１内に支持された前記防振体３１の挿通孔３２に対して、上部円板部３５上に上部座金４３を添設しつつ挿通し、前記吊り基体１１の下方に突出させる取り付けボルト４２と、前記吊り基体１１の下方に突出する取り付けボルト４２の突出端側に前記下部円板部３６に添設するように嵌装する下部座金４４と、下部座金４４の下側に突出する取り付けボルト４２の突出端側のネジ部に、ネジ孔の途中位置まで螺合し、締め付けることで、前記防振体３１を前記吊り基体１１に対して一体的に固着する例えば長さ２０ｍｍの連結ナット４５と、を具備している。
【００２８】
次に、前記吊り基体１１における前記枠状体２と、一対の補助強化片２１との固着構造ついて図２乃至図４を参照して説明する。
【００２９】
前記枠状体２における片側２個ずつ両側で４個の外向き突片５と、一対の補助強化片２１、２１における添設片２２、２２とは、図２乃至図４に示すように、合計４個の固着具である例えばリベット１２を用いて一体的に固着している。
【００３０】
すなわち、前記枠状体２の一面側においては、図２、図３に示すように、補助強化片２１における添設片２２の両隅上部位置と、添設片２２と接合している外向き突片５の対応位置とを一対のリベット１２を用いて一体的に固着している。前記枠状体２の他面側においても同様である。
【００３１】
前記枠状体２における一対の内向き突片６、６と、前記一対の補助強化片２１、２１における一対の下片２３、２３とは、図５に示すように、合計４個の固着具である例えばリベット１２を用いて一体的に固着している。
【００３２】
すなわち、前記枠状体２における一対の内向き突片６、６における円弧状凹部６ａ、６ａよりも外側位置と、一対の内向き突片６、６に接合する一対の下片２３、２３との間を、四角形配置を呈する合計４個のリベット１２を用いて一体的に固着している。
【００３３】
上述したような吊り基体１１における前記枠状体２と、一対の補助強化片２１との固着構造によって、この吊り基体１１の特に下部側の圧縮強度、引張強度を高めている。
【００３４】
すなわち、前記吊り基体１１の両面において、一対の補助強化片２１における各添設片２２の両隅上部位置と、各添設片２２と接合している枠状体２を構成する各外向き突片５の対応位置とを合計４個のリベット１２を用いて一体的に固着するとともに、前記枠状体２における一対の内向き突片６、６と、前記一対の補助強化片２１、２１における前記防振体３１を嵌め込み凹部２４によって嵌め込み状態で支持する前記一対の下片２３、２３とを、互いに交差配置に接合し、かつ、合計４個のリベット１２を用いて一体的に固着している。
【００３５】
したがって、前記吊り基体１１に対して圧縮力、引張力が作用する際におけるこの吊り基体１１の下部側においては、前記枠状体２における一対の内向き突片６、６の変形が防止され、前記吊り基体１１の特に下部側の圧縮強度、引張強度を高めることになる。
【００３６】
更に、前記一対の垂直片４、４の両側垂直縁部には、各々片側２個ずつ両側で４個の外向き突片５を外方に向けて突設しているので、前記吊り基体１１に対して圧縮力、引張力が作用する際における前記枠状体２の一対の垂直片４、４の変形も防止することができる。
【００３７】
この結果、特許文献１の２個のフレームの組み合わせからなる吊り基体に比べ、本実施例の耐風圧型防振天井吊り体１によれば、前記吊り基体１１の下部領域、一対の垂直片４、４の領域及び前記枠状体２の上部領域の各部にわたって、すなわち、前記吊り基体１１全体にわたって圧縮力、引張力が作用する際における圧縮強度、引張強度を向上させることができる。
【００３８】
本発明の耐風圧型防振天井吊り体１の具体的仕様の一例としては、耐風圧荷重、すなわち、圧縮荷重としては１００００Ｎを、また、引張荷重としては７０００Ｎを挙ることができる。更に、前記防振体３１の許容荷重としては３００Ｎ、静的はばね定数としては７０（Ｎ／ｍｍ）の例を挙ることができる。
【００３９】
次に、本実施例１に係る耐風圧型防振天井吊り体１を用いた天井吊り構造の一例について、図１を参照して説明する。
【００４０】
この天井吊り構造は、図１に示すように、天井スラブ５２の下方に天井パネル体の一例である例えば二重天井体６０を水平に吊り下げるものであり、前記吊り基体１１を構成する前記枠状体２の上片３に設けた孔部７に上部吊りボルト５１を挿通させるとともに、上部吊りボルト５１に対して上片３を挟むように螺合した一対のナット５３を締め付けることで、前記耐風圧型防振天井吊り体１における吊り基体１１の上部側を前記上部吊りボルト５１に強固に連結するものである。
【００４１】
また、前記耐風圧型防振天井吊り体１における前記連結ナット４５のネジ孔に下方から下部吊りボルト６１の上端側のネジ部を螺着するとともに、二重天井体６０から上方に突出させた吊り金具６２の水平に曲げた上片６２ａに下部吊りボルト６１の下端側を挿通し、前記下部吊りボルト６１に対して上片６２ａを挟むように螺合した一対のナット６３を締め付けることで、前記耐風圧型防振天井吊り体１における吊り基体１１の下部側を下部吊りボルト６１に強固に連結し、二重天井体６０を天井スラブ５２の下方に吊り下げるものである。
【００４２】
なお、図１においては、１個の耐風圧型防振天井吊り体１を用いた天井吊り構造のみを示しているが、実際には多数の耐風圧型防振天井吊り体１を用いて上述したような吊り構造を多数箇所設けることにより二重天井体６０を吊り下げることは言うまでもない。
【００４３】
次に、本実施例１に係る耐風圧型防振天井吊り体１の作用を、前記二重天井体６０を吹き上げるような強風に対する耐風圧動作を主にして説明する。
【００４４】
本実施例１に係る耐風圧型防振天井吊り体１によれば、上述したように、前記吊り基体１１の下部領域、一対の垂直片４、４の領域及び前記枠状体２の上部領域の各部にわたって、すなわち、前記吊り基体１１全体にわたって圧縮力、引張力が作用する際における圧縮強度、引張強度を向上させている。
【００４５】
これにより、高速列車が走行する駅舎において上述したような天井吊り構造の一部に前記耐風圧型防振天井吊り体１を採用した場合においては、高速列車の走行に伴う衝撃風のような強い風に対する天井吊り構造全体の耐風圧強度を十分に確保でき、二重天井体６０自体が風圧により吹き上がり、その後、重力により落下して部分的に又はかなり広範囲にわたって破損してしまうというような不都合な事態発生を未然に回避することが可能となる。また、強大な地震振動により、前記二重天井体６０自体が上方に変位しようとした場合にも、前記耐風圧型防振天井吊り体１の圧縮強度の向上により、二重天井体６０自体が上昇し、その後、重力により落下して部分的に又はかなり広範囲にわたって破損してしまうというような不都合な事態発生を未然に回避することが可能となる。
【００４６】
また、例えば前記天井スラブ５２が高速列車の走行に伴う振動により上下に振動する際には、前記天井スラブ５２から上部吊りボルト５１を経て本実施例１の耐風圧型防振天井吊り体１に伝達される振動は、防振体取り付け支持機構部４１によって前記吊り基体１１が形成する内部空間の下部中央に一体的に、かつ、垂直配置に取り付けられ、更に、前記二重天井体６０による引張荷重が前記連結ナット４５、取り付けボルト４２を介して作用する防振体３１によって特許文献１の場合と同様にして効果的に防振され、前記二重天井体６０の上下方向の防振を図ることができる。
【産業上の利用可能性】
【００４７】
本発明の耐風圧型防振天井吊り体は、上述した場合の他、各種ビルディング、工場建屋等において、天井スラブの下方に天井パネル体を吊り下げ支持する吊り下げ構造体の一部として広範に適用可能である。
【符号の説明】
【００４８】
１    耐風圧型防振天井吊り体
２    枠状体
３    上片
４    垂直片
５    外向き突片
６    内向き突片
６ａ  円弧状凹部
７    孔部
８    局所的塑性変形部
１１    吊り基体
１２    リベット
２１    補助強化片
２２    添設片
２３    下片
２４    挟み込み凹部
３１    防振体
３２    挿通孔
３３    括れ凹部
３４    括れ凹部
３５    上部円板部
３６    下部円板部
３７    埋め込み座金
４１    防振体取り付け支持機構部
４２    取り付けボルト
４３    上部座金
４４    下部座金
４５    連結ナット
５１    上部吊りボルト
５２    天井スラブ
５３    ナット
６０    二重天井体
６１    下部吊りボルト
６２    金具
６２ａ  上片
６３    ナット
【図１】
0005562783.tif 000002
【図２】
0005562783.tif 000003
【図３】
0005562783.tif 000004
【図４】
0005562783.tif 000005
【図５】
0005562783.tif 000006
【図６】
0005562783.tif 000007